(57)【要約】【課題】トップロケータの取り外しを容易にするための係合解除治具を提供する。【解決手段】正面視矩形の平板を側面視で、くの字状とした形状の本体部２２と、該本体部２２をトップロケータ４に取り付けるための取付部材２６とを有し、本体部２２は、第一面部２２ａに固定部材８の末端の拡径部８ｂに係合可能な係合部２４が備えられ、第二面部２２ｂに操作部２５が備えられ、第一面部２２ａのうち屈曲部２１と係合部２４との間に、取付部材２６を取り付ける取付穴が備えられ、該本体部２２は、第一面部２２ａが、トップロケータ４の軸心に沿って平行となるように、トップロケータ４に取り付けられ、操作部２５をトップロケータ４に向けて操作したときに、屈曲部２１を支点として、係合部２４がトップロケータ２２の外周面から離間するのにともなって、軸状部８ａが係合凹部５ａから引き抜かれるように構成されている。【選択図】図２
0003207898.tif 000002
【実用新案登録請求の範囲】
【請求項１】
ボトルを載置可能なボトムロケータと、前記ボトムロケータの上方において前記ボトムロケータに対して昇降可能な垂直軸部に嵌着可能であり、前記垂直軸部に備えられた係合凹部に、先端の係合凸部が係脱可能な固定部材が貫設されるとともに、前記固定部材を前記係合凸部の前記係合凹部に対する係合方向に付勢する付勢部材が備えられたトップロケータと、を備え、前記ボトムロケータと、前記トップロケータとに挟持された前記ボトルにラベルを付けるラベラにおいて、
前記トップロケータを前記垂直軸部から取り外すために前記係合凸部の前記係合凹部に対する係合を解除する係合解除治具であって、
正面視矩形の平板を、長手方向の一端側と他端側との間の屈曲部において屈曲させ、側面視で、くの字状とした形状の本体部と、該本体部を前記トップロケータに取り付けるための取付部材とを有し、
前記本体部は、前記一端側である第一面部に前記固定部材の末端の拡径部に係合可能な係合部が備えられ、前記他端側である第二面部に操作部が備えられ、前記第一面部のうち屈曲部と前記係合部との間に、前記取付部材を取り付ける取付穴が備えられ、
該本体部は、前記第一面部が、前記トップロケータの軸心に沿って平行となるように、前記トップロケータに取り付けられ、
前記操作部を前記トップロケータに向けて操作したときに、前記屈曲部を支点として、前記係合部が前記トップロケータの外周面から離間するのにともなって、前記係合凸部が前記係合凹部から引き抜かれるように構成されている係合解除治具。
【請求項２】
前記本体部の側方視において、前記第一面部と前記第二面部とがなす角度をθとし、
前記第一面部のうち前記屈曲部から前記係合部までの長さをＬ１とし、
前記係合凸部の前記係合凹部への係合深さをＤとしたときに、
Ｌ１ｓｉｎ（１８０°−θ）−Ｄ＞０の関係を満たす形状である請求項１に記載の係合解除治具。
【請求項３】
前記第二面部のうち前記屈曲部から前記操作部までの長さをＬ2としたときに、
Ｌ2−Ｌ１＞０の関係を満たす形状である請求項２に記載の係合解除治具。
【請求項４】
前記トップロケータが、前記固定部材が貫設可能な部分と、前記ボトルのトップを嵌入させる嵌入凹部を有する下端部分とが異径であり、
前記トップロケータのうち前記固定部材が貫設可能な部分の直径をΦ１とし、
前記トップロケータのうち前記ボトルのトップを嵌入させる嵌入凹部を有する下端部分の直径をΦ２としたときに、
（Φ２−Φ１）−２Ｌ2ｓｉｎ（１８０°−θ）＞０の関係を満たす形状である請求項３に記載の係合解除治具。
【請求項５】
前記取付部材は、ネジと、前記ネジと前記第一面部とにより付勢されるコイルバネとを備えている請求項１から４のいずれか一項に記載の係合解除治具。
【考案の詳細な説明】
【技術分野】
【０００１】
本考案は、ボトルを載置可能なボトムロケータと、前記ボトムロケータの上方において前記ボトムロケータに対して昇降可能な垂直軸部に嵌着可能であり、前記垂直軸部に備えられた係合凹部に、先端の係合凸部が係脱可能な固定部材が貫設されるとともに、前記固定部材を前記係合凸部の前記係合凹部に対する係合方向に付勢する付勢部材が備えられたトップロケータと、を備え、前記ボトムロケータと、前記トップロケータとに挟持された前記ボトルにラベルを取り付けるラベラにおいて、前記トップロケータを前記垂直軸部から取り外すために前記係合凸部の前記係合凹部に対する係合を解除する係合解除治具に関する。
【背景技術】
【０００２】
特許文献１には、ロータリーホイール外周の複数箇所に、容器の底部を支持するボトムロケータと、容器の上部を支持するトップロケータとが設けられ、ボトムロケータとトップロケータとで保持し位置決めした容器の所定位置にラベルを貼着するラベラが記載されている。
【先行技術文献】
【特許文献】
【０００３】
【特許文献１】特開２０００−３３５５３３号公報
【考案の概要】
【考案が解決しようとする課題】
【０００４】
トップロケータは、ボトムロケータの上方においてボトムロケータに対して昇降可能な垂直軸部に嵌着可能であり、垂直軸部に備えられた係合凹部に、先端の係合凸部が係脱可能な固定部材が貫設されるとともに、固定部材を係合凸部の係合凹部に対する係合方向に付勢する付勢部材が備えられている。
【０００５】
このようなラベラにおいて、容器の形状に応じて、トップロケータを交換する必要がある。垂直軸部に嵌着されたトップロケータを取り外すためには、一方の手でトップロケータを把持し、他方の手でトップロケータから固定部材を付勢部材の付勢力に抗して引っ張り、係合凸部の係合凹部への係合を解除させつつ、トップロケータを下に移動させて、垂直軸部から取り外す作業が必要である。一本のトップロケータの取り外し作業に両手を使う必要がある。
【０００６】
従来のトップロケータは、垂直軸部からの取り外しに両手で作業しなければならず、交換作業に時間を要していた。
【０００７】
本考案は、上記実情に鑑みてなされたものであって、トップロケータの取り外しを容易にするための係合解除治具を提供することを目的とする。
【課題を解決するための手段】
【０００８】
上述の目的を達成するための、本考案による係合解除治具の特徴構成は、ボトルを載置可能なボトムロケータと、前記ボトムロケータの上方において前記ボトムロケータに対して昇降可能な垂直軸部に嵌着可能であり、前記垂直軸部に備えられた係合凹部に、先端の係合凸部が係脱可能な固定部材が貫設されるとともに、前記固定部材を前記係合凸部の前記係合凹部に対する係合方向に付勢する付勢部材が備えられたトップロケータと、を備え、前記ボトムロケータと、前記トップロケータとに挟持された前記ボトルにラベルを付けるラベラにおいて、前記トップロケータを前記垂直軸部から取り外すために前記係合凸部の前記係合凹部に対する係合を解除する係合解除治具であって、正面視矩形の平板を、長手方向の一端側と他端側との間の屈曲部において屈曲させ、側面視で、くの字状とした形状の本体部と、該本体部を前記トップロケータに取り付けるための取付部材とを有し、前記本体部は、前記一端側である第一面部に前記固定部材の末端の拡径部に係合可能な係合部が備えられ、前記他端側である第二面部に操作部が備えられ、前記第一面部のうち屈曲部と前記係合部との間に、前記取付部材を取り付ける取付穴が備えられ、該本体部は、前記第一面部が、前記トップロケータの軸心に沿って平行となるように、前記トップロケータに取り付けられ、前記操作部を前記トップロケータに向けて操作したときに、前記屈曲部を支点として、前記係合部が前記トップロケータの外周面から離間するのにともなって、前記係合凸部が前記係合凹部から引き抜かれるように構成されている点にある。
【０００９】
上述の構成によれば、本体部の操作部を力点とし、係合部を作用点とし、屈曲部を支点とした、てこの原理によって、片手であっても容易に係合凸部を係合凹部から引き抜くことができる。片手でトップロケータを垂直軸部から取り外すことができるため、これにより作業時間の短縮が図られる。
【００１０】
本考案においては、前記本体部の側方視において、前記第一面部と前記第二面部とがなす角度をθとし、前記第一面部のうち前記屈曲部から前記係合部までの長さをＬ１とし、前記係合凸部の前記係合凹部への係合深さをＤとしたときに、Ｌ１ｓｉｎ（１８０°−θ）−Ｄ＞０の関係を満たす形状であると好適である。
【００１１】
てこの作用点となる係合部は、支点である屈曲部を中心とし、屈曲部から係合部までの距離を半径とする円弧に沿って移動しながら、係合凸部を係合凹部から引き抜くため、係合部の移動量は、係合部の係合凹部への係合深さ以上である必要がある。上述の構成によると、係合部の移動により、係合凸部は係合凹部から確実に引き抜かれるため、トップロケータを垂直軸部から取り外すことができる。
【００１２】
本考案においては、前記第二面部のうち前記屈曲部から前記操作部までの長さをＬ2としたときに、Ｌ2−Ｌ１＞０の関係を満たす形状であると好適である。
【００１３】
てこは、支点−力点間の距離が、支点−作用点の距離より長いほど、それらの距離の比に応じて、力点に加える力より大きな力を作用点で得ることができる。上述の構成によると、力点に加える力より大きな力を作用点で容易に得ることができる。
【００１４】
本考案においては、前記トップロケータが、前記固定部材が貫設可能な部分と、前記ボトルのトップを嵌入させる嵌入凹部を有する下端部分とが異径であり、前記トップロケータのうち前記固定部材が貫設可能な部分の直径をΦ１とし、前記トップロケータのうち前記ボトルのトップを嵌入させる嵌入凹部を有する下端部分の直径をΦ２としたときに、（Φ２−Φ１）−２Ｌ2ｓｉｎ（１８０°−θ）＞０の関係を満たす形状であると好適である。
【００１５】
トップロケータは軽量化のために、ボトルのトップを嵌入させる嵌入凹部を有する下端部分に対してトップロケータが固定部材が貫設可能な部分を細く構成することがある。このような場合に、上述の構成とすることにより、係合解除治具をトップロケータの平面投影寸法内に収めることができる。垂直軸部から取り外したトップロケータを、所定の場所に並べて収納しておく際に、係合解除治具を含めたトップロケータの平面投影寸法が小さいほうが、省スペース化の観点から好ましいからである。
【００１６】
本考案においては、前記取付部材は、ネジと、前記ネジと前記第一面部とにより付勢されるコイルバネとを備えていると好適である。
【００１７】
上述の構成によると、係合解除治具を操作していないときに、コイルバネの付勢力によって係合解除治具の第一面部がトップロケータの外周面に押圧されるため、ラベラの運転時において係合解除治具の取り付け姿勢が維持される。
【図面の簡単な説明】
【００１８】
【図１】ラベラの説明図である。
【図２】トップロケータ及び係合解除治具を説明する斜視図である。
【図３】トップロケータ及び係合解除治具を説明する正面図である。
【図４】係合解除治具を操作する前の説明図である。
【図５】係合解除治具を操作したあとの説明図である。
【考案を実施するための形態】
【００１９】
以下、本考案の実施形態を図面に基づいて説明する。
【００２０】
図１には、本考案に係る係合解除治具２０が備えられたラベラ１の一部が示されている。
【００２１】
ラベラ１は、マンドレルにより筒状にしたシュリンクラベルをボトルＢの外周の所定位置に配置させたあと収縮させることによってボトルＢにラベルを取り付ける、いわゆるシュリンクラベル式のラベラや、ロール状に巻かれたラベルをカッターによって一枚ずつ切って取り出し、ボトルＢを回転させながらボトルＢに貼りつける、いわゆるロールラベル式のラベラが例示できる。ボトルＢは、ペットボトルやビンなどが例示できる。
【００２２】
ラベラ１に、ロータリーホイール２の外周の複数箇所、たとえば３０箇所に、ボトルＢを載置するボトムロケータ３と、ボトムロケータ３の上方に設けられるとともにボトムロケータ３に載置されたボトルＢを下方に押圧し、ボトムロケータ３とで挟持するためのトップロケータ４とが備えられている。
【００２３】
トップロケータ４は、ラベラ１が備える垂直軸部５の下端部に嵌着されている。垂直軸部５は、昇降機構６によってボトムロケータ３に対して昇降可能に構成されている。
【００２４】
図２に示すように、トップロケータ４に、上端に垂直軸部５を挿通可能な挿通凹部４ａが備えられ、下端にボトルＢのトップであるキャップ部を嵌入させる嵌入凹部４ｂが備えられている。
【００２５】
トップロケータ４は、嵌入凹部４ｂが備えられている部分以外の部分の直径Φ１が、嵌入凹部４ｂが備えられている部分の直径Φ２よりも小さく構成され、これにより軽量化が図られている。本実施形態においては、直径Φ１は３６ｍｍに設定され、直径Φ２は４２ｍｍに設定されている。
【００２６】
トップロケータ４に、挿通凹部４ａに連通する貫通穴７が備えられ、当該貫通穴７に固定部材８が貫設されている。
【００２７】
図４に示すように、固定部材８は、軸状部８ａと拡径部８ｂを有し、軸状部８ａを貫通穴７に挿通したときに、その先端が垂直軸部５に備えられた係合凹部５ａに係合可能である。つまり、軸状部８ａが本考案の係合凸部である。
【００２８】
固定部材８の軸状部８ａに、軸状部８ａの軸心と直交する方向に貫通穴８ｃが備えられ、当該貫通穴８ｃに付勢部材９が挿設されている。
【００２９】
付勢部材９は、弾性を有する細長い金属部材から構成されている。付勢部材９は、円環の一部を切断し、切断により生じた両端を外方に丸めた形状となっている。
【００３０】
トップロケータ４の外周面の貫通穴７に対応する位置に、周方向に溝部１０が備えられている。付勢部材９は溝部１０に収容され、トップロケータ４の軸心方向への移動が防止されている。
【００３１】
固定部材８は、付勢部材９によって軸状部８ａが係合凹部５ａに係合した位置に保持される。固定部材８は、貫通穴７の軸心外方向に移動させると、付勢部材９の弾性によって、軸状部８ａが係合凹部５ａに係合する方向に付勢される。
【００３２】
係合解除治具２０は、軸状部８ａの係合凹部５ａに対する係合を解除するための治具である。係合解除治具２０は、加工の容易さ、操作時における変形の生じにくさ、トップロケータ４に対する傷の付けにくさ等を考慮し、適当な金属材料、たとえばステンレス鋼を用いて製造される。
【００３３】
係合解除治具２０は、正面視矩形の平板を、長手方向の一端側と他端側との間の屈曲部２１において屈曲させ、側面視で、くの字状とした形状の本体部２２と、該本体部２２をトップロケータ４に取り付けるための取付部材２６とを有している。
【００３４】
本体部２２は、長手方向の全長に亘って均一な幅と厚みを有することが好ましいが、部分的に幅や厚みが異なっていてもよい。屈曲部２１は、トップロケータ４の表面の損傷を防止するために曲面を有することが好ましいが、後述するように、てこの支点として機能するためには必ずしも曲面を有するように屈曲させる必要はない。
【００３５】
本体部２２は、一端側である第一面部２２ａに固定部材８の末端の拡径部８ｂに係合可能な係合部２４が備えられ、他端側である第二面部２２ｂに操作部２５が備えられている。
【００３６】
図４に示すように、第一面部２２ａと第二面部２２ｂは、本体部２２の側方視において所定の角度θを有している。また、第一面部２２ａのうち屈曲部２１から係合部２４までの長さがＬ１であり、第二面部２２ｂのうち屈曲部２１から操作部２５までの長さがＬ２に構成されている。また、軸状部８ａの係合凹部５ａへの係合深さはＤに構成されている。
【００３７】
本実施形態においては、角度θは１７０°に設定され、長さＬ１は３３ｍｍに設定され、長さＬ２は３５ｍｍに設定され、係合深さＤは４ｍｍに設定されている。
【００３８】
なお、上述の角度θ、長さＬ１、長さＬ２、係合深さＤ、直径Φ１及び直径Φ２の各値は例示である。ただし、係合解除治具２０は、Ｌ１ｓｉｎ（１８０°−θ）−Ｄ＞０の関係を満たし、Ｌ２−Ｌ１＞０の関係を満たす形状に構成されている。また、係合解除治具２０は、（Φ２−Φ１）−２Ｌ2ｓｉｎ（１８０°−θ）＞０の関係を満たす形状に構成されていることが好ましい。
【００３９】
係合部２４は、正面視でＵの字状、Ｖの字状又はコの字状の係合溝から構成されている。この係合溝に固定部材８の軸状部８ａが入り込み、拡径部８ｂに係合する。
【００４０】
第一面部２２ａのうち屈曲部２１と係合部２４との間に、取付部材２６を取り付ける取付穴２７が備えられている。
【００４１】
取付部材２６は、ネジ２６ａと、ネジ２６ａと第一面部２２ａとにより付勢されるコイルバネ２６ｂと、ワッシャー２６ｃとを備えている。これに対して、トップロケータ４の所定位置に、ネジ２６ａを螺着するためのネジ孔４ｃが備えられている。
【００４２】
なお、ワッシャー２６ｃは必須ではない。また、取付部材２６は、ネジ２６ａとコイルバネ２６ｂとを備える構成に限らない。たとえば、可撓性の帯状部材又は紐状部材から構成され、係合解除治具２０の屈曲部２１の高さ位置において、係合解除治具２０を抱き込む状態で、トップロケータ４に対して巻き付けられる構成であってもよい。この場合は、トップロケータにネジ孔４ｃを備えなくてよい。
【００４３】
図４に示すように、係合解除治具２０は、トップロケータ４に取り付けられたときに、本体部２２の第一面部２２ａが、コイルバネ２６ｂの付勢力によってトップロケータ４の軸心に沿って平行となるように配置される。
【００４４】
図５に示すように、トップロケータ４に、たとえば片手の親指以外の指をかけ、親指によって操作部２５をトップロケータ４に向けて、付勢部材９の付勢力に抗して押圧操作すると、係合解除治具２０は屈曲部２１を支点として、係合部２４がトップロケータ４の外周面から離間するのにともなって、軸状部８ａが係合凹部５ａから引き抜かれ、両者の係合が解除される。
【００４５】
この状態のままトップロケータ４を下方に引き下げることにより、トップロケータ４から垂直軸部５が抜け、トップロケータ４は垂直軸部５から取り外される。
【００４６】
なお、親指による操作部２５の押圧を解除すると、係合解除治具２０は、付勢部材９の付勢力によって、本体部２２の第一面部２２ａがトップロケータ４の軸心に沿って平行となる姿勢に戻る。
【００４７】
上述のように、係合解除治具２０の操作部２５を力点とし、固定部材８に係合させた係合部２４を作用点とし、屈曲部２１を支点とした、てこの原理によって、片手であっても容易に軸状部８ａを係合凹部５ａから引き抜くことができる。これにより、トップロケータ４を垂直軸部５から取り外すことができる。従来のようにトップロケータ４を両手を使って垂直軸部５から取り外す作業に比べて、はるかに容易かつ作業時間の短縮を図ることができる。
【００４８】
上述した実施形態は、いずれも本考案の一例であり、該記載により本考案が限定されるものではなく、各部の具体的構成は本考案の作用効果が奏される範囲で適宜変更設計可能であることはいうまでもない。
【符号の説明】
【００４９】
１        ：ラベラ
３        ：ボトムロケータ
４        ：トップロケータ
４ｂ      ：嵌入凹部
５        ：垂直軸部
７        ：貫通穴
８        ：固定部材
８ａ      ：軸状部（係合凸部）
８ｂ      ：拡径部
９        ：付勢部材
２０      ：係合解除治具
２１      ：屈曲部
２２      ：本体部
２２ａ    ：第一面部
２２ｂ    ：第二面部
２４      ：係合部
２５      ：操作部
２６      ：取付部材
２６ａ    ：ネジ
２６ｂ    ：コイルバネ
２７      ：取付穴
Ｂ        ：ボトル
θ        ：角度
Ｌ１      ：長さ
Ｌ２      ：長さ
Ｄ        ：係合深さ
【図１】
0003207898.tif 000003
【図２】
0003207898.tif 000004
【図３】
0003207898.tif 000005
【図４】
0003207898.tif 000006
【図５】
0003207898.tif 000007